(57)【要約】      （修正有）【課題】分解状態、組立状態のいずれでも肘掛部嵌脱可能な肘掛付大型重量ソファーを分解状態での保管時、輸送時の管理コストを低減でき、製品完成後には、簡単にできる。使用しないときには、設置した部屋の空間を広くすることができる大型重量ソファー家具を提供する。【解決手段】肘掛部とソファー部からなる大型重量ソファーにおいて、ソファー本体部と脚付き肘掛部３，４と座板部８と背板部９との組立が可能な組み立て分解できるソファーにおいて、肘掛フレームは、座板部８と背板部９との組立と、相互に対向する右枠と左枠の夫々の上部の一端を特殊連結金具で連結し、ソファー部内に収まる肘掛部嵌脱可能な肘掛付大型ソファーである。【選択図】図３
0003184064.tif 000002
【実用新案登録請求の範囲】
【請求項１】
脚付き肘掛部とソファー本体部とからなる大型重量ソファーで、ソファー本体部であるクッション部と座板部と背板部と脚付き肘掛部との組立が可能な大型重量ソファーにおいて、肘掛部フレームは、ソファー本体の接合部の左右、総計８〜３０の連結箇所で、ソファー部本体の座板部と背板部と両端の肘掛部とを嵌合できる特殊嵌脱可能な雄雌連結金具によって接合されていることを特徴とする肘掛部嵌脱可能な大型重量ソファー。
【請求項２】
大型重量ソファーおける両脚付き肘掛と座板部と背板部との組立において、ソファー本体の座板部と背板部の両側の同位置とに、嵌脱可能にした脚付き肘掛部とソファー本体部、並びに背面部の同位置とに、嵌脱可能にした座板部と背板部であるソファー本体部とを嵌合できる、嵌脱・固定化できる雌雄連結金具を全体で８〜３０箇所に設けて、各々の部体との間の嵌合を２〜５箇所にしていることを特徴とする請求項１記載の肘掛部嵌脱可能な大型重量ソファー。
【請求項３】
各部体を嵌脱可能に接合する雌雄連結金具は、寸法として長さ５０〜７０ｍｍ、厚さ８〜１５ｍｍ、幅２５〜４０ｍｍのグラスファイバー入り樹脂製であって、雄雌の接合を持つリブ付き弓状体を重ねた弓円形状で、中心部に金属製鍵部をネジの回転によって雄雌両者を結合固定できるような凹凸接合構造になっている雄体と雌体に１〜３ｍｍ巾のリブを持つ弓状構造体になっていることを特徴とする請求項１又は請求項２に記載の肘掛部嵌脱可能な大型重量ソファー。
【請求項４】
側部の肘掛などの各部体を接合する雌雄連結金具の取り付けは、肘掛部と座板部と背板部とにそれぞれ雄体、及び雌体の一方を挿入できるようなＴ溝付き形状掘り込み構造になって、各部体を２０〜１００ｍｍの厚さを持つ木材厚さ面の両者間で、各々のＴ溝付き弓形状に彫り込んで、その箇所に１〜３ｍｍ巾のＴ溝を持つ弓円様形状空洞部に挿入できる嵌脱の前記連結金具を嵌合して、全体で８〜３０ケ所で嵌脱できるようになっていることを特徴とする請求項１〜請求項３のいずれかに記載の肘掛部嵌脱可能な大型重量ソファー。
【請求項５】
脚付き肘掛を持つ大型重量ソファーは、両側に木製脚付き肘掛部と座板部と背板部と中央側にクッション部とからなっているものであって、ソファー全体の高さ７００〜１０００ｍｍ、奥行き８００〜１０００ｍｍ、幅１５００〜２５００ｍｍの寸法で、全体重量を５０ｋｇ以上のものであり、側部の脚付き肘掛の中央部に取り付けて、側肘掛部の連結金具と前記ソファーの連結金具の前後端部を同一直線上に結合して、前脚付き肘掛のうち、側肘掛部連結金具の前端部とソファー本体部の連結金具の前端部と、並びに前記座板部と前記背板部の連結金具と前記ソファーの連結金具を同一直線上にして、座板部と背板部とのそれぞれ連結金具とソファー部の連結金具の雌雄とを嵌結していることを特徴とする請求項１〜請求項４のいずれかに記載の肘掛部嵌脱可能な大型重量ソファー。
【考案の詳細な説明】
【技術分野】
【０００１】本考案は、分解状態及び組立状態のいずれにおいても可能とする肘掛部嵌脱可能な肘掛付大型重量ソファーに関する。また使用しないときには分解して納めておき、必要に応じてソファーを構成することができる運搬が容易な嵌脱可能な肘掛付大型重量ソファーの組立家具に関するものである。
【背景技術】
【０００２】従来の壁型組立家具は、収納壁面の一部を机だけに転換したり、ベッドだけに転換するものが主体であって、例えば特許文献１や特許文献２等にその具体例が見られる。従来、分解状態（各部品ごとの状態）、組立状態（製品の状態）のいずれかの状態で可能な種々の大型ソファーが公知である。
上記したもののうち、組立状態、分解状態で可能な大型ソファーは、分解した状態での保管時、輸送時の省スペース性が悪い欠点がある。保管時、輸送時の省スペース性の悪さは、管理コストの増加に直接影響を与えるため非常に問題である。【０００３】一方、分解状態で可能な大型重量ソファーは、部品ごとに安定した状態でまとめて輸送できるため、納入時の輸送の手間は大幅に低減できるが、組立状態が不可能であるため、注文を受ける前に組立を行うことは省スペース性を損なうこともあり行えず、注文後に組立を行う必要が生じ、顧客に対して迅速に納入することができない点で不便であった。【０００４】以上のような欠点を解消するものとして、分解状態及び組立状態のいずれにおいてもスタッキングが可能となる学校用机、例えば、略逆Ｖの字状をなす一対の脚杆を互いに両側に間隔を存して相対向配置し、その両脚杆の頂部の各々の内側に天板受金物を設けるとともに、その天板受金物の稍々下方に位置して上記両脚杆相互間に連結杆を横架し、さらに両脚杆の下端方寄り部に手前方を開放した平面コ字形状の足掛杆を該両脚杆の各前後脚杆部の外側に配すべく取付けて構成した机脚と、これを組立てなる大型ソファー（特許文献１参照）が公知である。【０００５】脚板と天板が安定した状態で組み付けることができて組み付け作業も簡単に行うことができ、また組み外した際にはコンパクトに収納させることができる他、部品点数を少なくて済ますことのできる組立テーブル及び組立椅子を提供することを目的として、２枚の脚板の中央を直角に組み合わせて脚部を構成すると共に、平面視十字状に組み合わせた脚板の上部外端近傍から上方に突出させてある突起を、該突起に合わせた位置に形成された上板の開孔に突入させて脚板と上板を一体的に組み合わせてなることが提供している（特許文献２参照）。【０００６】また使用しないときには、設置した部屋の空間を狭くすることのない壁とすることができ、ベッド、机、あるいはソファーに簡単に変換することができる組立家具を提供できて、外枠内に、手前側に開閉可能に連結したベッド枠及び机板とを収納するとともに、ベッド枠の下縁を外枠に対して手前側に開閉可能に連結し、ベッド枠内に収納した複数のソファー枠の下縁を外枠に開閉可能に連結する。ソファー枠内に脚板を収納してこれを左右方向に開閉可能に連結していることが提案されている（特許文献３参照）。【０００７】大型の重量ソファーを分解して、簡単に組み立てできるような大型重量のあるソファーについては全体、部分的に肘掛部嵌脱可能にしたものは存在していない。さらに高層住宅、あるいは狭間の玄関をもつ建築物などへの搬入に便利をきたしている。
【先行技術文献】
【特許文献】
【０００８】
【特許文献１】特開２００３−２８９９６４号公報、
【特許文献２】実開平５−４８７２７号公報
【特許文献３】実用新案登録第３１１５８６３号公報
【特許文献４】実開昭５４−３８５０２号公報
【考案の概要】
【考案が解決しようとする課題】
【０００９】肘掛部とソファー部からなる大型重量ソファーにおいて、肘掛部とソファー部と座板部と背板部との組立状態とでの嵌脱可能な大型重量ソファーは、スタッキングする際には何ら問題も生じないが、組立てた状態では、大型重量ソファーを分解して、再度組み合わせすることは操作上で煩雑になっていることでの欠点があった。この組立てた状態の各部品への分解は非常に複雑であり、納入後においては実用的でないばかりか、不慣れな者が行う場合には分解後部品の組み立てを行った大型重量ソファーが崩落する危険を伴うものであった。
大型の重量ソファーを分解して、簡単に組み立てできるような大型重量のあるソファーについては部品の全体、部分的に肘掛部嵌脱可能にしたものは存在していない。さらに高層住宅、あるいは狭間の玄関をもつ建築物などへの搬入が容易にできるものが期待されている。【００１０】本考案は、以上の事情に鑑みてなされたものであり、分解状態、組立状態のいずれにおいても、大型重量ソファーを嵌脱可能にして、分解状態での保管時、輸送時の管理コストを低減でき、製品完成後には肘掛部とソファー部と座板部と背板部と組み合わせ、簡単且つ安全に部品を分解した後に容易に組み立てができ、納入業者や運送業者の便宜に資することができる分解と、組み立てできる嵌脱可能な大型重量ソファーを提供することを課題にしている。
【課題を解決するための手段】
【００１１】脚付き肘掛部とソファー本体部とからなる大型重量ソファーで、ソファー本体部であるクッション部と座板部と背板部と脚付き肘掛部との組立が可能な大型重量ソファーにおいて、肘掛部フレームは、ソファー本体の接合部の左右、総計８〜３０の連結箇所で、ソファー部本体の座板部と背板部と両端の肘掛部とを嵌合できる特殊嵌脱可能な雄雌連結金具によって接合されている肘掛部嵌脱可能な大型重量ソファーである。【００１２】大型重量ソファーおける両脚付き肘掛と座板部と背板部との組立において、ソファー本体の座板部と背板部の両側の同位置とに、嵌脱可能にした脚付き肘掛部とソファー本体部、並びに背面部の同位置とに、嵌脱可能にした座板部と背板部であるソファー本体部とを嵌合できる、嵌脱・固定化できる雌雄連結金具を全体で８〜３０箇所に設けて、各々の部体との間の嵌合を２〜５箇所にしている。好ましくは全体で８〜２０箇所である。【００１３】各部体を嵌脱可能に接合する雌雄連結金具は、寸法として長さ５０〜７０ｍｍ、厚さ８〜１５ｍｍ、幅２５〜４０ｍｍのグラスファイバー入り樹脂製であって、雄雌の接合を持つリブ付き弓状体を重ねた弓円形状で、中心部に金属製鍵部をネジの回転によって雄雌両者を結合固定できるような凹凸接合構造になっている雄体と雌体に１〜３ｍｍ巾のリブを持つ弓状構造体になっている。【００１４】側部の肘掛などの各部体を接合する雌雄連結金具の取り付けは、肘掛部と座板部と背板部とにそれぞれ雄体、及び雌体の一方を挿入できるようなＴ溝付き形状掘り込み構造になって、各部体を２０〜１００ｍｍの厚さを持つ木材厚さ面の両者間で、各々のＴ溝付き弓形状に彫り込んで、その箇所に１〜３ｍｍ巾のＴ溝を持つ弓円様形状空洞部に挿入できる嵌脱の前記連結金具を嵌合して、全体で８〜３０ケ所で嵌脱できるようになっている。【００１５】脚付き肘掛を持つ大型重量ソファーは、両側に木製脚付き肘掛部と座板部と背板部と中央側にクッション部とからなっているものであって、ソファー全体の高さ７００〜１０００ｍｍ、奥行き８００〜１０００ｍｍ、幅１５００〜２５００ｍｍの寸法で、全体重量を５０ｋｇ以上のものであり、側部の脚付き肘掛の中央部に取り付けて、側肘掛部の連結金具と前記ソファーの連結金具の前後端部を同一直線上に結合して、前脚付き肘掛のうち、側肘掛部連結金具の前端部とソファー本体部の連結金具の前端部と、並びに前記座板部と前記背板部の連結金具と前記ソファーの連結金具を同一直線上にして、座板部と背板部とのそれぞれ連結金具とソファー部の連結金具の雌雄とを嵌結している。
好ましくは６０〜１２０ｇである。
【考案の効果】
【００１６】肘掛部と座板部と背板部とクッション部とからなる大型重量ソファーにおいて、肘掛部と座板部と背板部とクッション部との組立状態で再構できるように分解が可能なであり、肘掛フレームと座板部と背板部とは、クッション部と相互に対向する右枠脚付き肘掛部と左脚付き枠肘掛部の夫々の上部の一端とを嵌脱可能な特殊連結金具で嵌合できており、肘掛部と座板部と背板部とクッション部とのフレームのみの分解・組み立てを簡単に可能にした。【００１７】相互に対向する右枠脚付き肘掛部と左脚付き枠肘掛部と座板部と背板部との夫々の上部の一端とを特殊連結金具で、肘掛部とクッション部との長手中央よりも上部となる位置に、雄雌連結金具を設けることにより、フレームの強度を飛躍的に向上するだけでなく、大型重量ソファーが組立状態であっても、対向する右枠脚付き肘掛部と左脚付き枠肘掛部の夫々フレームの右肘掛枠及び左肘掛枠、並びに座板部と背板部との捩れを抑えることができた。【００１８】また組立状態でのスタッキングが可能な大型重量ソファーにおいて、ソファー部本体の両端に組立状態で相互を簡潔的に連結して、両脚付き肘掛と並行的にソファー本体部とに取り付けた側部に雄雌連結金具を所持していることより、保管時、輸送時の管理コストを低減でき、製品完成後には、肘掛とソファー本体と嵌脱可能な組み合わせることができた。【００１９】また、それによって大型で重量のあるソファーを高層住宅、あるいは狭間の玄関をもつ建築物などへの搬入、運搬などの搬送と設置に対して簡易になった。
特殊連結金具によって、より一層、フレーム強度を向上することができた。外部からの衝撃を長手方向に形成される平面で受けることができることから、衝撃をより分散させることができ、耐久強度を高めることができた。
【図面の簡単な説明】
【００２０】
【図１】肘掛部嵌脱可能な肘掛付大型重量ソファーの斜視図。
【図２】肘掛部嵌脱可能な肘掛付大型重量ソファーの肘掛部取り付け側面における特殊連結金具取り付け口の位置図。
【図３】肘掛部嵌脱可能な肘掛付大型重量ソファー組み立て各部品を示す状態図。
【図４】大型重量ソファーに使用する雌雄特殊連結金具の構造と分解の図。
【図５】肘掛部嵌脱可能な肘掛付大型重量ソファーの雌雄連結金具を部品に取り付けた状態を示す状態図。Ａ：掘り込み部の嵌合箇所での雌連結金具の取り付け状態  Ｂ：掘り込み部の嵌合箇所での雄連結金具の取り付け途中状態
【図６】掘り込み部の嵌合箇所の状態図  Ａ：掘り込み部の切断面、Ｂ：掘り込み部の平面
【考案を実施するための形態】
【００２１】図１は肘掛部嵌脱可能な肘掛付大型重量ソファーの斜視図であるが、図２では肘掛部嵌脱可能な肘掛付大型重量ソファーの肘掛部取り付け側面における特殊連結金具取り付け口の位置図、図３では肘掛部嵌脱可能な肘掛付大型重量ソファー組み立て各部品を示す状態図である。
さらに図４は大型重量ソファーに使用する雌雄特殊連結金具の構造図（Ａ）と分解図（Ｂ）、および図５は、肘掛部嵌脱可能な肘掛付大型重量ソファーの雌雄連結金具を部品に取り付けた状態を示す状態図を示した。
【実施例１】
【００２２】図３に示すように、ウォールナット製肘掛部とレザー製のソファー部からなる８０ｋｇの重量を持つ大型ソファーにおいて、寸法として高さ８４０ｍｍ、奥行き９３０ｍｍ、幅１９００ｍｍである肘掛部とソファー部（クッション部＋座板部＋背板部）との組立状態が可能な組み立て分解できる大型ソファーは、図３に示すように肘掛フレームと、相互に対向する右枠肘掛部と左枠肘掛部と、さらに座板部と背板部との夫々の一端とを本体のソファー部とに図４に示すような特殊連結金具で連結して組み立てることができた。【００２３】図２，５に示すように、前記右肘掛部枠と左枠肘掛部と座板部と背板部とのＴ溝付き形状掘り込み構造である嵌合口の状態で相互を簡潔的に連結した。【００２４】なお、図４の側部の肘掛を接合する連結金具は寸法として、長さ６５ｍｍ、厚さ９ｍｍ、幅３０ｍｍのグラスファイバー入り樹脂製で、側部の脚付き肘掛の中央部に５箇所に取り付けて、側肘掛部の連結金具と前記ソファーの連結金具によって結合した。両側に木製肘掛部と中央部にソファー部を持つもので、高さ８４０ｍｍ、奥行き９３０ｍｍ、幅１９００ｍｍに、座板部と背板部と肘掛部との嵌脱の連結金具１０か所によって嵌合接合した。【００２５】肘掛部嵌脱の連結金具は、雄体、及び雌体の一方を挿入できるようなＴ溝付き形状掘り込み構造になって、各部体を４０ｍｍの厚さを持つ木材厚さ面の両者間で、各々のＴ溝付き弓形状に彫り込んで、その箇所に１．５ｍｍ巾のＴ溝を持つ弓円様形状空洞部に挿入できる嵌脱の前記連結金具を嵌合して、ファイバー入り樹脂製であって、図４に示すように雄雌連結金具の接合を持つ半円状の形状と２点凹凸接合構造になっている雄と、雌との両接合連結具であって、図５に示すように各部品の木部の掘り込み溝をもつ両側面口と肘掛部と座板部と背板部とソファー部とに雄・雌の連結金具の一方を取り付けた。その結果図１に示すような製品が完成した。【００２６】この完成製品（図１）を購入先の高層マンションに運搬は、各部品に分解して搬送して、容易にできた。また運搬業者でも各部品を簡単に組み立てができて、図１の製品に仕上げて、使用することができた。
【実施例２】
【００２７】図３に示すように、ウォールナット製肘掛部とレザー製のソファー部からなる１００ｋｇの重量を持つ大型ソファーにおいて、寸法として高さ８４０ｍｍ、奥行き９３０ｍｍ、幅２１００ｍｍである肘掛部とソファー部（クッション部＋座板部＋背板部）との組立状態が可能な組み立て分解できる大型ソファーは、図３に示すように肘掛フレームと、相互に対向する右枠肘掛部と左枠肘掛部と、さらに座板部と背板部との夫々の一端とを本体のソファー部とに図４に示すような特殊連結金具で連結して組み立てることができた。【００２８】図２，５に示すように、前記右肘掛部枠と左枠肘掛部と座板部と背板部とのＴ溝付き形状掘り込み構造である嵌合口の状態で相互を簡潔的に連結した。【００２９】なお、図４の側部の肘掛を接合する連結金具は寸法として、長さ６５ｍｍ、厚さ９ｍｍ、幅３０ｍｍのグラスファイバー入り樹脂製で、側部の脚付き肘掛の中央部に５箇所に取り付けて、側肘掛部の連結金具と前記ソファーの連結金具によって結合した。両側に木製肘掛部と中央部にソファー部を持つもので、高さ８４０ｍｍ、奥行き９３０ｍｍ、幅２１００ｍｍに、座板部と背板部と肘掛部との嵌脱の連結金具１２か所によって嵌合接合した。【００３０】肘掛部嵌脱の連結金具は、雄体、及び雌体の一方を挿入できるようなＴ溝付き形状掘り込み構造になって、各部体を４０ｍｍの厚さを持つ木材厚さ面の両者間で、各々のＴ溝付き弓形状に彫り込んで、その箇所に１．５ｍｍ巾のＴ溝を持つ弓円様形状空洞部に挿入できる嵌脱の前記連結金具を嵌合して、ファイバー入り樹脂製であって、図４に示すように雄雌連結金具の接合を持つ半円状の形状と２点凹凸接合構造になっている雄と、雌との両接合連結具であって、図５に示すように各部品の木部の掘り込み溝をもつ両側面口と肘掛部と座板部と背板部とソファー部とに雄・雌の連結金具の一方を取り付けた。その結果図１に示すような製品が完成した。【００３１】この完成製品を購入先の玄関の幅が狭い集合住宅での運搬は、各部品に分解して搬送して、容易にできた。また運搬業者でも各部品を簡単に組み立てができて、図１に示すようなソファーの製品に仕上げて、室内に設置ができた。
【実施例３】
【００３２】図３に示すように、オーク製肘掛部とファブリック製のソファー部からなる９０ｋｇの重量を持つ大型ソファーにおいて、寸法として高さ９００ｍｍ、奥行き９３０ｍｍ、幅１９００ｍｍである肘掛部とソファー部（クッション部＋座板部＋背板部）との組立状態が可能な組み立て分解できる大型ソファーは、図３に示すように肘掛フレームと、相互に対向する右枠肘掛部と左枠肘掛部と、さらに座板部と背板部との夫々の一端とを本体のソファー部とに図４に示すような特殊連結金具で連結して組み立てることができた。【００３３】図２，５に示すように、前記右肘掛部枠と左枠肘掛部と座板部と背板部とのＴ溝付き形状掘り込み構造である嵌合口の状態で相互を簡潔的に連結した。【００３４】なお、図４の側部の肘掛を接合する連結金具は寸法として、長さ６５ｍｍ、厚さ９ｍｍ、幅３０ｍｍのグラスファイバー入り樹脂製で、側部の脚付き肘掛の中央部に５箇所に取り付けて、側肘掛部の連結金具と前記ソファーの連結金具によって結合した。両側に木製肘掛部と中央部にソファー部を持つもので、高さ９００ｍｍ、奥行き９３０ｍｍ、幅１９００ｍｍに、座板部と背板部と肘掛部との嵌脱の連結金具１０か所によって嵌合接合した。【００３５】肘掛部嵌脱の連結金具は、雄体、及び雌体の一方を挿入できるようなＴ溝付き形状掘り込み構造になって、各部体を４０ｍｍの厚さを持つ木材厚さ面の両者間で、各々のＴ溝付き弓形状に彫り込んで、その箇所に１．５ｍｍ巾のＴ溝を持つ弓円様形状空洞部に挿入できる嵌脱の前記連結金具を嵌合して、ファイバー入り樹脂製であって、図４に示すように雄雌連結金具の接合を持つ半円状の形状と２点凹凸接合構造になっている雄と、雌との両接合連結具であって、図５に示すように各部品の木部の掘り込み溝をもつ両側面口と肘掛部と座板部と背板部とソファー部とに雄・雌の連結金具の一方を取り付けた。その結果図１に示すような製品が完成した。【００３６】この完成製品（図１）を購入先の高層集合住宅に運搬は、各部品に分解して搬送して、容易にできた。また運搬業者でも各部品を簡単に組み立てができて、図１のような製品に仕上げて、使用することができた。
【符号の説明】
【００３７】１．肘掛部
２．クッション部
３．右脚付き肘掛部
４．左脚付き枠肘掛部
５．雄雌連結金具一体
６．雄連結金具部
７．雌連結金具部
８．座板部
９．背板部
１０．接合部
１１．リブ
１２．Ｔ溝
１３．掘り込み部
１４．嵌合箇所
【図１】
0003184064.tif 000003
【図２】
0003184064.tif 000004
【図３】
0003184064.tif 000005
【図４】
0003184064.tif 000006
【図６】
0003184064.tif 000007
【図５】
0003184064.tif 000008